(57)【要約】【課題】転写前に設置された回動可能なガイドのエッジがカートリッジ抜き差し時にドラムに接触するのを防止する。【解決手段】着脱可能なプロセスカートリッジの内部にある感光体ドラムに形成したトナー像を記録材上に転写する転写手段と、記録材を前記転写手段へ搬送する記録材搬送手段との間に、回動可能な搬送ガイドを有し、この搬送ガイドの回転軌跡がプロセスカートリッジを着脱する際の感光体ドラムの軌跡と干渉する構成を有する画像形成装置において、プロセスカートリッジがこの干渉範囲を通過する間、プロセスカートリッジが搬送ガイドに当接することを特徴とする。【選択図】図２
2005234473.tif 000002
【特許請求の範囲】
【請求項１】
着脱可能なプロセスカートリッジの内部にある像担持体上に形成したトナー像を記録材上に転写する転写手段と、記録材を前記転写手段へ搬送する記録材搬送手段との間に、回動可能な搬送ガイドを有し、該搬送ガイドの回転軌跡が、前記プロセスカートリッジを着脱する際の前記像担持体の軌跡と干渉する構成を有する画像形成装置において、
前記プロセスカートリッジが前記干渉範囲を通過する区間において前記搬送ガイドが回動した場合、前記プロセスカートリッジが前記搬送ガイドに当接することによって、前記搬送ガイドが前記像担持体に干渉しないことを特徴とする画像形成装置。
【請求項２】
前記搬送ガイドの当接面形状が、プロセスカートリッジを着脱する際の前記プロセスカートリッジの当接面の軌跡と同一であることを特徴とする請求項１記載の画像形成装置。
【請求項３】
着脱可能なプロセスカートリッジの内部にある像担持体上に形成したトナー像を記録材上に転写する転写手段と、記録材を前記転写手段へ搬送する記録材搬送手段との間に、回動可能な搬送ガイドを有し、該搬送ガイドの回転軌跡が、前記プロセスカートリッジを着脱する際の前記像担持体の軌跡と干渉する構成を有する画像形成装置において、
前記プロセスカートリッジが前記干渉範囲を通過する区間において前記搬送ガイドが回動した場合、前記搬送ガイドが前記像担持体の非印字部に当接することによって前記搬送ガイドが前記像担持体の印字部に干渉しないことを特徴とする画像形成装置。
【請求項４】
前記搬送ガイドの当接面形状が、プロセスカートリッジを着脱する際の感光体ドラムの軌跡と同一であることを特徴とする請求項３記載の画像形成装置。
【発明の詳細な説明】
【技術分野】
【０００１】
本発明は、感光体ドラムの搬送方向上流側に、回動可能なガイドを有する搬送機構を備えるプリンタ、複写機、ファクシミリ等の画像形成装置に関するものである。
【背景技術】
【０００２】
従来、電子写真方式にて感光体等の像担持体上にトナー像を形成し、そのトナー像を記録材に転写して利用する画像形成装置が各種提案され、実用化されている。
【０００３】
図８を用いて、従来の画像形成装置の概略を説明する。
【０００４】
図８に示す画像形成装置８００は、電子写真方式のレーザープリンターである。
【０００５】
８０１はプロセスカートリッジである。このプロセスカートリッジ８０１の内部には、感光体ドラム８０１１や現像器（図示せず）等が備えられ、画像情報に基づいて露光装置８０２から照射されるレーザーによって感光体８０１１上に形成される潜像を公知のプロセスにより感光体ドラム８０１１上に現像化させるものである。
【０００６】
又、画像形成装置８００の下部には、記録材８０３を収納可能な給紙カセット８０４が配置されている。記録材８０３の先端部付近に配置された給紙ローラ８０５が回転することによって記録材８０３は１枚ずつ分離給送され、その後、搬送ローラ対８０６及びレジストローラ対８０７によって下流に搬送される。続いて、感光体ドラム８０１１と転写ローラ８０９によって搬送され、記録材８０３上に感光体ドラム８０１１上に形成されたトナー像が転写される。未定着のトナー像が転写された記録材８０３は更に下流に搬送され、定着装置８１０によって加圧・加熱されてトナーが溶融することで、トナー像が記録材８０３に定着される。その後、搬送ローラー対８１１及び排紙ローラ対８１２により、記録材８０３は排紙トレイ８１３に排出される。
【０００７】
以上一連の動作により、記録材８０３表面に対する画像形成が行われる。
【０００８】
ところで、前述の画像形成装置においては、レジストローラ対８０７と転写ローラ８０９の間における記録材８０３の搬送性を安定させるため、図９に示すように、搬送路の上下に、搬送上ガイド９０３と搬送下ガイド９０４が配置されている。搬送上ガイド９０３は、レジストローラ対８０７と転写ローラ８０９の間で紙詰まりが発生した場合の処理を容易にするため、レジストローラ対８０７の上方側のローラ９０２を中心として回動する（例えば、特許文献１参照）。
【０００９】
レジストローラ対８０７と転写ローラ８０９の間において紙詰まりが発生した場合、プロセスカートリッジ８０１を取り除いた後に、図１０に示すように、搬送上ガイド９０３を開き、レジストローラ対８０７と転写ローラ８０９の間で滞留している記録材８０３を引き出して処理する。
【００１０】
【特許文献１】特開平３−２４９０４３号公報
【発明の開示】
【発明が解決しようとする課題】
【００１１】
しかしながら、図１１に示すように、レジストローラー対８０７と転写ローラ８０９の間で記録材８０３’が搬送方向に圧縮されて滞留した場合、搬送上ガイド９０３に開く方向に力が加わって開いてしまう。よって、ジャム処理の際に、プロセスカートリッジ８０１を画像形成装置８００から引き抜きづらくなることがあった。この状態でプロセスカートリッジ８０１を画像形成装置８００から抜き出すと、感光体ドラム８０１１の軌跡に搬送上ガイド９０３の先端が突出してしまい、そのままプロセスカートリッジ８０１を引き抜くと、感光体ドラム８０１１に搬送上ガイド９０３の先端が接触して感光体表面が傷ついたり、又、感光体ドラム８０１１に搬送上ガイド９０３が引っ掛かったまま無理な力を加えると、搬送上ガイド９０３が変形してしまうことがある。
【００１２】
前記問題に対応するため、従来、搬送上ガイド９０３の先端部にマイラー等の柔らかい材料を貼り付けたり、又、搬送上ガイド９０３の先端が感光体８０１１の軌跡と干渉しないように、搬送上ガイド９０３を短くするといった対策が採られてきた。
【００１３】
しかしながら、マイラー等の追加は、傷の程度を下げるだけであり、又、搬送上ガイド９０３を短くすることは、記録材８０３の搬送性能を損ない兼ねない等、設計的制約が多くあった。
【００１４】
本発明は上記問題に鑑みてなされたもので、その目的とする処は、転写前に設置された回動可能なガイドのエッジがカートリッジ抜き差し時にドラムに接触するのを防止することができる画像形成装置を提供することにある。
【課題を解決するための手段】
【００１５】
上記目的を達成するため、請求項１記載の発明は、着脱可能なプロセスカートリッジの内部にある像担持体上に形成したトナー像を記録材上に転写する転写手段と、記録材を前記転写手段へ搬送する記録材搬送手段との間に、回動可能な搬送ガイドを有し、該搬送ガイドの回転軌跡が、前記プロセスカートリッジを着脱する際の前記像担持体の軌跡と干渉する構成を有する画像形成装置において、前記プロセスカートリッジが前記干渉範囲を通過する区間において前記搬送ガイドが回動した場合、前記プロセスカートリッジが前記搬送ガイドに当接することによって、前記搬送ガイドが前記像担持体に干渉しないことを特徴とする。
【００１６】
請求項２記載の発明は、請求項１記載の発明において、前記搬送ガイドの当接面形状が、プロセスカートリッジを着脱する際の前記プロセスカートリッジの当接面の軌跡と同一であることを特徴とする。
【００１７】
請求項３記載の発明は、着脱可能なプロセスカートリッジの内部にある像担持体上に形成したトナー像を記録材上に転写する転写手段と、記録材を前記転写手段へ搬送する記録材搬送手段との間に、回動可能な搬送ガイドを有し、該搬送ガイドの回転軌跡が、前記プロセスカートリッジを着脱する際の前記像担持体の軌跡と干渉する構成を有する画像形成装置において、前記プロセスカートリッジが前記干渉範囲を通過する区間において前記搬送ガイドが回動した場合、前記搬送ガイドが前記像担持体の非印字部に当接することによって前記搬送ガイドが前記像担持体の印字部に干渉しないことを特徴とする。
【００１８】
請求項４記載の発明は、請求項３記載の発明において、前記搬送ガイドの当接面形状が、プロセスカートリッジを着脱する際の感光体ドラムの軌跡と同一であることを特徴とする。
【発明の効果】
【００１９】
本発明によれば、レジストローラ対と転写ローラの間で記録材が滞留した場合も、スムーズにプロセスカートリッジを抜き出すことのできる。そして、記録材が搬送方向に圧縮されて滞留し、レジストローラ軸に取り付けられたガイドが持ち上げられ、プロセスカートリッジを抜き出す際に、感光体ドラムのガイド先端への接触防止を搬送性を犠牲にしないで実現することができる。
【発明を実施するための最良の形態】
【００２０】
以下に本発明の実施の形態を添付図面に基づいて説明する。
【００２１】
＜実施の形態１＞
図２に示す画像形成装置２００は、本発明に係る電子写真方式のレーザープリンタである。
【００２２】
２０１はプロセスカートリッジである。このプロセスカートリッジ２０１の内部には、感光体ドラム２０１１や現像器（図示せず）等が備えられ、画像情報に基づいて露光装置２０２から照射されるレーザーによって感光体ドラム２０１１上に形成される潜像を公知のプロセスにより感光体ドラム２０１１上に現像化させる。
【００２３】
又、画像形成装置２００の下部には、記録材２０３を収納可能な給紙カセット２０４が配置されている。記録材２０３の先端部付近に配置された給紙ローラ２０５が回転することによって記録材２０３は１枚ずつ分離給送され、その後、搬送ローラ対２０６及びレジストローラ対２０７によって下流に搬送される。続いて、感光体ドラム２０１１と転写ローラ２０９によって搬送され、記録材２０３上に感光体２０１１上に形成されたトナー像が転写される。未定着のトナー像が転写された記録材２０３は更に下流に搬送され、定着装置２１０によって加圧・加熱されてトナーが溶融することで、トナー像が記録材２０３に定着される。その後、搬送ローラ対２１１及び排紙ローラ対２１２により、記録材２０３は排紙トレイ２１３に排出される。
【００２４】
以上一連の動作により、記録材２０３表面に対する画像形成が行われる。
【００２５】
図１及び図３は本発明に係るガイド形状及びこれに付随する形状についての詳細図及びその断面図である。
【００２６】
１０６はプロセスカートリッジ２０１の外形を形成する部材の一部である。レジスト下ローラー１０１及びレジスト上ローラ１０２によって通紙方向へ搬送される記録材は、搬送上ガイド１０３及び搬送下ガイド１０４によってガイドされ、感光体ドラム２０１１と転写ローラ２０９によって構成される転写部へ搬送される。搬送上ガイド１０３は、レジスト上ローラ１０２と同軸に回動可能に取り付けられており、レジストローラ対２０７と転写ローラ２０９の間で記録材２０３が紙詰りした際に、搬送上ガイド１０３を開くことで、紙詰り処理を容易に行うことができるようになっている。搬
送上ガイド１０３の長手方向端部には、ガイドアーム１０５が取り付けられている。ガイドアーム１０５は、搬送上ガイド１０３が回動した際に、その先端部と感光体ドラム２０１１の軌跡の隙間がｔ（ｔ＞０）となるように、プロセスカートリッジ２０１を抜き出す際の部材１０６上のリブ１０６１の軌跡に沿って外形が形成されている。
【００２７】
従って、図４に示すように、記録材２０３’がレジストローラ対２０７と転写ローラ２０９の間で記録材２０３が搬送方向に圧縮されて滞留、搬送上ガイド１０３が開いた場合、プロセスカートリッジ２０１のリブ１０６１がガイドアーム１０５に当接し、搬送上ガイド１０３の先端が感光体ドラム２０１１と干渉するまで搬送上ガイド１０３が開くことはない。又、プロセスカートリッジ２０１を抜き出す際であっても、同様に搬送上ガイド１０３の先端部が感光体ドラム２０１１に干渉しないように、搬送上ガイド１０３の回動量がリブ１０６１とガイドアーム１０５によって決められる。
【００２８】
＜実施の形態２＞
次に、本発明の実施の形態２を図５に基づいて説明する。
【００２９】
レジスト下ローラ１０１及びレジスト上ローラ１０２によって通紙方向へ搬送される記録材は、搬送上ガイド１０３及び搬送下ガイド１０４によってガイドされ、感光体ドラム２０１１と転写ローラー２０９によって構成される転写部へ搬送される。搬送上ガイド１０３は、レジスト上ローラ１０２と同軸に回動可能に取り付けられており、レジストローラ対２０７と転写ローラ２０９の間で記録材２０３が紙詰りした際に、搬送上ガイド１０３を開くことで、紙詰り処理を容易に行うことができるようになっている。搬送ガイド１０３の長手方向端部には、ガイドアーム１０５’が取り付けられている。ガイドアーム１０５’は、プロセスカートリッジ２０１を抜き出す際の部材１０６上のリブ１０６１の軌跡に沿って外形が形成されている。
【００３０】
従って、図６に示すように、記録材２０３’がレジストローラ対２０７と転写ローラ２０９の間で記録材２０３が搬送方向に圧縮されて滞留した場合に、搬送上ガイド１０３が開く方向に力が加わっても、プロセスカートリッジ２０１のリブ１０６１がガイドアーム１０５’に当接し、搬送上ガイド１０３が開くことはない。又、プロセスカートリッジ２０１を抜き出す際であっても、リブ１０６１がガイドアーム１０５’に当接している間は、搬送上ガイド１０３が回動しないため、搬送上ガイド１０３の先端部が感光体ドラム２０１１と接触することなく、プロセスカートリッジ２０１の抜き出しを可能とする。
【００３１】
＜実施の形態３＞
次に、本発明の実施の形態３を図７に基づいて説明する。
【００３２】
レジスト下ローラ１０１及びレジスト上ローラ１０２によって通紙方向へ搬送される記録材は、搬送上ガイド１０３及び搬送下ガイド１０４によってガイドされ、感光体ドラム２０１１と転写ローラ２０９によって構成される転写部へ搬送される。搬送上ガイド１０３は、レジスト上ローラ１０２と同軸に、回動可能に取り付けられており、レジストローラ対２０７と転写ローラ２０９の間で記録材２０３が紙詰りした際に、搬送上ガイド１０３を開くことで、紙詰り処理を容易に行うことができるようになっている。        搬送ガイド１０３の長手方向端部には、ガイドアーム１０５”が取り付けられている。ガイドアーム１０５”は、プロセスカートリッジ２０１を抜き出す際の感光体ドラム２０１１の軌跡に沿って外形が形成されている。
【００３３】
従って、記録材２０３’がレジストローラ対２０７と転写ローラ２０９の間で記録材２０３が搬送方向に圧縮されて滞留した場合に、搬送上ガイド１０３が開く方向に力が加わっても、ガイドアーム１０５”が感光体ドラム２０１１に当接し、搬送上ガイド１０３が開くことはない。又、プロセスカートリッジ２０１を抜き出す際であっても、ガイドアーム１０５”が感光体ドラム２０１１に当接している間は、搬送上ガイド１０３が回動しないため、搬送上ガイド１０３の先端部が感光体ドラム２０１１と接触することなく、プロセスカートリッジ２０１の抜き出しを可能とする。
【産業上の利用可能性】
【００３４】
本発明は、感光体ドラムの搬送方向上流側に、回動可能なガイドを有する搬送機構を備えるプリンタ、複写機、ファクシミリ等の画像形成装置に対して有用である。
【図面の簡単な説明】
【００３５】
【図１】本発明の実施の形態１に係る記録材搬送部の斜視図である。
【図２】本発明の実施の形態１に係る画像形成装置の断面図である。
【図３】本発明の実施の形態１に係る記録材搬送部の断面図である。
【図４】本発明の実施の形態１に係る記録材搬送部の断面図である。
【図５】本発明の実施の形態２に係る記録材搬送部の断面図である。
【図６】本発明の実施の形態２に係る記録材搬送部の断面図である。
【図７】本発明の実施の形態３に係る記録材搬送部の断面図である。
【図８】従来の画像形成装置の断面図である。
【図９】従来の記録材搬送部の断面図である。
【図１０】従来の記録材搬送部の断面図である。
【図１１】従来の記録材搬送部の断面図である。
【符号の説明】
【００３６】
１０１  レジ下ローラ
１０２  レジ上ローラ
１０３  搬送上ガイド
１０４  搬送下ガイド
１０５，１０５’，１０５”  ガイドアーム
１０６  プロセスカートリッジの一部分
１０６１  リブ
２００  画像形成装置
２０１  プロセスカートリッジ
２０１１  感光体ドラム
２０２  露光装置
２０３，２０３’  記録材
２０４  給紙カセット
２０５  給紙ローラ
２０６  搬送ローラ対
２０７  レジストローラ対
２０９  転写ローラ
２１０  定着装置
２１１  搬送ローラ対
２１２  排紙ローラ対
２１３  排紙トレイ
６００  画像形成装置
６０１  プロセスカートリッジ
６０１１  感光体ドラム
６０２  露光装置
６０３，６０３’  記録材
６０４  給紙カセット
６０５  給紙ローラ
６０６  搬送ローラ対
６０７  レジストローラ対
６０９  転写ローラ
６１０  定着装置
６１１  搬送ローラ対
６１２  排紙ローラ対
６１３  排紙トレイ
７０１  レジスト下ローラ
７０２  レジスト上ローラ
７０３  搬送上ガイド
７０４  搬送下ガイド
【図１】
2005234473.tif 000003
【図２】
2005234473.tif 000004
【図３】
2005234473.tif 000005
【図４】
2005234473.tif 000006
【図５】
2005234473.tif 000007
【図６】
2005234473.tif 000008
【図７】
2005234473.tif 000009
【図８】
2005234473.tif 000010
【図９】
2005234473.tif 000011
【図１０】
2005234473.tif 000012
【図１１】
2005234473.tif 000013